(57)【要約】【課題】情報コードの検索処理がどの程度進んでいるかをユーザが認識でき、待たされる時の不便さを解消することができる画像処理装置を提供する。【解決手段】ＱＲモードが有効である場合、基準位置からのＱＲコードの検索を実行するとともに、ＱＲコードの検索進行状況を表示する（ステップ101〜105）。そして、ＱＲコードが発見された場合、ＱＲコードの復元情報に基づいて処理を実行する（ステップ106、117）。一方、ＱＲコードが発見されていないとき、ユーザが検索場所を指定すると、ＱＲコード検索を中断してユーザが指定した位置からのＱＲコード検索を実行し、ＱＲコードが発見されずに、指定された検索を完了した場合には、検索中断位置からＱＲコードの検索を再開する（ステップ108〜115）。【選択図】図３
2008242876.tif 000002
【特許請求の範囲】
【請求項１】
画像データ中に存在する情報コードを検索し、解析する情報コード検索手段と、上記情報コード検索手段を制御する制御手段とを備えた画像処理装置であって、
上記情報コード検索手段による情報コード検索中、上記制御手段が、情報コード検索の進捗状況を報知することを特徴とする画像処理装置。
【請求項２】
請求項１に記載された画像処理装置において、
上記情報コード検索手段による情報コード検索中にユーザが検索位置を指示できる検索位置指示手段を備え、情報コード検索位置が指示された場合、上記制御手段が、上記情報コード検索手段による検索を中断させるとともに、指示された位置の情報コード検索を実行させることを特徴とする画像処理装置。
【請求項３】
請求項２に記載された画像処理装置において、
検索中断時、上記情報コード検索手段が検索の中断位置を記憶するとともに、指示された位置の情報コード検索により情報コードが見つからなかった場合、上記制御手段が、上記情報コード検索手段に検索の中断位置からの情報コード検索を実行させることを特徴とする画像処理装置。
【請求項４】
請求項１〜請求項３のいずれかに記載された画像処理装置において、
上記制御手段が、原稿の白紙画像に重ねて検索の進行に伴って面積が増加するインジケータを表示することにより情報コード検索の進捗状況を報知することを特徴とする画像処理装置。
【請求項５】
請求項１〜請求項３のいずれかに記載された画像処理装置において、
画像データのプレビュー画像を表示する表示手段を備え、上記制御手段が、上記プレビュー画像に重ねて検索の進行に伴って面積が増加するインジケータを表示することにより情報コード検索の進捗状況を報知することを特徴とする画像処理装置。
【発明の詳細な説明】
【技術分野】
【０００１】
本発明は、画像処理装置、特に情報コード、例えば、ＱＲコードの検索／解析機能を備えた画像処理装置に関する。
【背景技術】
【０００２】
最近、ＱＲ（クイック・レスポンス）コード等の二次元バーコードがチラシなどの印刷物に記載され、携帯電話などで読み取ることによりその中に含まれているＵＲＬなどの情報にアクセスできるようになってきており、複写機能、ファクシミリ機能、プリント機能、スキャナ機能等を有するデジタル複合機においても、原稿スキャンや印字時にＱＲコードを検索してデコード処理を行い、その結果を基に種々の機能を実行したり、新たな情報に変換して再度エンコードすることが考えられている。
【０００３】
例えば、商品の広告チラシにその商品を注文する注文書を送信するための送信先のアドレスを表した二次元コード情報が含まれている場合、広告チラシの画像データをスキャンして検索された二次元コード情報をデコードすることにより文字情報に変換し、この文字情報に含まれている送信先アドレスに注文書のデータを送信することが提案されている（例えば、特許文献１参照）。
【特許文献１】特開２００６−１１５０２１号公報
【０００４】
また、ファクシミリ送信時に入力された送信先、ポーリング、同報、原稿枚数等の情報を原稿のヘッダー部に二次元バーコードとして記録し、同一原稿をスキャナで読み取ることにより、簡単にヘッダー部に記録されたデータを基にしてファクシミリの再送信、ファクシミリ装置への宛先の登録を行うことができるようにすることも提案されている（例えば、特許文献２参照）。
【特許文献２】特開２００４−３４３５６４号公報
【０００５】
さらに、スキャナから読み取った画像データをハードディスク等のメモリに一旦記憶し、そのメモリから任意の原稿の画像データを繰り返し読み出して印刷する機能を備えたデジタル複合機において、オリジナル原稿の画像データをメモリから読み出して印刷する際に、画像データにメモリ内の格納先及びデータ属性を示した情報コードを埋め込んで複製原稿を作成し、この複製原稿をスキャナで読取る際に、画像データの情報コードからメモリ内のオリジナル原稿の格納先を認識し、オリジナル原稿をメモリから読み出して印刷することも提案されている（例えば、特許文献３参照）。
【特許文献３】特開２００４−３３６２８８号公報
【発明の開示】
【発明が解決しようとする課題】
【０００６】
上記のように、従来、ファクシミリ送信時や原稿コピー時等に情報コードを検索／解析してデコード処理し、必要な処理を実行することが提案されているが、デジタル複合機でスキャンした画像に含まれている情報コードを解析するには、情報コードが配置されている位置の検出が必要であり、スキャン原稿の場合、画素数が多く、検出に時間がかかるという問題が生じる。
【０００７】
すなわち、情報コードがスキャン原稿内のどの位置に配置されているかが決まっている場合には問題ないが、そうでなくランダムに配置された情報コードを検索する場合には、ページ内の全エリアを検索してそこから当該情報コードとして特定しなければならない。このため、相応の時間が必要で、情報コードの検索中ユーザはデジタル複合機本体の前で待たされることになるが、ユーザにとってはどこまで検索処理が進んでいるか見当がつかず、ただ待っていなければならない。
また、スキャン原稿が複数ページにまたがるケースでは、さらに検索時間がかかり、いつまで待たされるか解らない、という状況になる。
【０００８】
本発明は、上記の問題に鑑みてなされたもので、情報コードの検索処理がどの程度進んでいるかをユーザが認識でき、待たされる時の不便さを解消することができる画像処理装置を提供することを目的とする。
【課題を解決するための手段】
【０００９】
上述の目的を達成するため、請求項１に係る発明の画像処理装置は、画像データ中に存在する情報コードを検索し、解析する情報コード検索手段と、上記情報コード検索手段を制御する制御手段とを備えた画像処理装置であって、上記情報コード検索手段による情報コード検索中、上記制御手段が、情報コード検索の進捗状況を報知することを特徴とする。
【００１０】
また、請求項２に係る発明の画像処理装置は、請求項１に記載された画像処理装置において、上記情報コード検索手段による情報コード検索中にユーザが検索位置を指示できる検索位置指示手段を備え、情報コード検索位置が指示された場合、上記制御手段が、上記情報コード検索手段による検索を中断させるとともに、指示された位置の情報コード検索を実行させることを特徴とし、
請求項３に係る発明の画像処理装置は、請求項２に記載された画像処理装置において、検索中断時、上記情報コード検索手段が検索の中断位置を記憶するとともに、指示された位置の情報コード検索により情報コードが見つからなかった場合、上記制御手段が、上記情報コード検索手段に検索の中断位置からの情報コード検索を実行させることを特徴とする。
【００１１】
さらに、請求項４に係る発明の画像処理装置は、請求項１〜請求項３のいずれかに記載された画像処理装置において、上記制御手段が、原稿の白紙画像に重ねて検索の進行に伴って面積が増加するインジケータを表示することにより情報コード検索の進捗状況を報知することを特徴とする。
【００１２】
また、請求項５に係る発明の画像処理装置は、請求項１〜請求項３のいずれかに記載された画像処理装置において、画像データのプレビュー画像を表示する表示手段を備え、上記制御手段が、上記プレビュー画像に重ねて検索の進行に伴って面積が増加するインジケータを表示することにより情報コード検索の進捗状況を報知することを特徴とする。
【発明の効果】
【００１３】
請求項１に係る発明の画像処理装置によれば、情報コード検索中、情報コード検索手段による情報コード検索の進捗状況が報知されるので、情報コードの検索処理がどの程度進んでいるかをユーザが容易に認識することができる。
また、請求項２、請求項３に係る発明の画像処理装置によれば、情報コード検索手段による検索位置をユーザが指示することができるので、検索の進捗状況を見て検索に時間がかかると思った場合、ユーザが情報コードの位置を知っていれば、検索位置を指定することにより情報コードの検索時間を短縮することができる。
【００１４】
さらに、請求項４、請求項５に係る発明の画像処理装置によれば、原稿の白紙画像、または、画像データのプレビュー画像に重ねて検索の進行に伴って面積が増加するインジケータが表示されるので、どのあたりまで情報コード検索が進んだかをユーザが視覚的に容易に把握することができる。また、プレビュー画像を表示した場合には、画像データの内容も認識できるので、検索位置の指定を容易に行うことができる。
【実施例１】
【００１５】
以下、本発明の画像処理装置をデジタル複合機に適用した実施例について説明する。図１はデジタル複合機のハードウェア構成を示すブロック図であり、このデジタル複合機は、ＣＰＵ１、ＲＯＭ（Read  Only  Memory）２、ＳＲＡＭ（Static  Random  Access  Memory）３、表示・操作部４、読取部５、画像メモリ６、記録部７、コーデック８、モデム９、ネットワーク制御ユニット（ＮＣＵ）１０、文書保存部１１、ＱＲコード処理部１２及びネットワークインターフェース（Network  Ｉ／Ｆ）１３から構成され、各部がバス１４を介して接続されている。
【００１６】
ＣＰＵ１はバス１４を介してデジタル複合機のハードウェア各部を制御するとともに、ＲＯＭ２に記憶されたプログラムに基づいて各種のプログラムを実行する。ＲＯＭ２はデジタル複合機の動作に必要な種々のプログラムや操作メッセージ等を予め記憶しており、ＳＲＡＭ３は、ＱＲコードの復元情報やＱＲコードにコード化する情報等のプログラムの実行時に発生する一時的なデータを記憶する。
【００１７】
表示・操作部４は、デジタル複合機の動作状態を表示したり、種々の機能の操作画面の表示を行う表示部と、デジタル複合機を操作するための複数のキーよりなり、図２に示すように、表示部を構成するＬＣＤ表示部２１と多数の操作キーから構成されている。ＬＣＤ表示部２１には、タッチパネルスイッチが配設され、ＬＣＤ表示部２１に表示された項目部分を押下することで、対応する項目の選択や機能の実行を行うことができる。
【００１８】
また、操作キーとして、テンキー２２、スタートキー２３、リセットキー２４、ストップキー２５、複数のワンタッチダイヤルキー２６、十字キー２７、リターンキー２８、セットキー２９、ＦＡＸ切替キー３０、コピー切替キー３１、スキャナ切替キー３２等の各種キーが設けられている。なお、ＬＣＤ表示部２１によりこれらの操作キーの一部又は全部を代用することも可能である。
【００１９】
読取部５はオートドキュメントフィーダー（ＡＤＦ）やフラットベッドスキャナ（ＦＢＳ）等の読取り用原稿載置台を備え、ＣＣＤ等を利用したスキャナで原稿を読み取り、ドットイメージデータを出力する。
また、画像メモリ６は、ＤＲＡＭ等を用いて構成され、送信すべき画像データまたは受信した画像データあるいは読取部５で読み取った画像データを記憶し、記録部７は電子写真方式等のプリンタ装置を備え、受信したデータ、コピー原稿データあるいは外部のパソコン等から送信されたプリントデータをプリントアウトする。
【００２０】
コーデック８は所定のプロトコルに対応して符号化・復号するものであり、読み取った原稿の画像データを送信するためにＭＨ、ＭＲまたはＭＭＲ方式により符号化し、外部から受信した画像データを復号するとともに、電子メールに添付可能なファイルとして一般的に利用される画像フォーマットであるＴＩＦＦ方式等にも対応して符号化、復号する。
【００２１】
モデム９はバス１４に接続されており、ファクシミリ通信が可能なファクスモデムとしての機能を有し、このモデム９は同様にバス１４に接続されたＮＣＵ１０と接続されている。ＮＣＵ１０はアナログ回線の閉結及び開放の動作を行うハードウェアであり、必要に応じてモデム９を公衆交換電話網（ＰＳＴＮ）に接続する。
【００２２】
文書保存部１１はハードディスク等のメモリで構成され、読取部５でスキャンされた画像データあるいは外部のパソコン等から受け取った画像データを保存する記憶部である。この文書保存部１１には、文書名を識別できるファイル名が付与された各ファイルに画像データが保存されるとともに、この文書保存部１１の管理ファイルに各文書のファイル名と、作成日時、作成者のＩＤ等の情報が記憶される。
【００２３】
一方、ＱＲコード処理部１２は、入力された画像データの中からＱＲコードの添付位置を検索してＱＲコードを抽出するとともに、抽出されたＱＲコードをデコードすることによりＱＲコードに格納されている情報を取得する。なお、このＱＲコード処理部１２はＱＲコードをデコードした情報を出力するとともに、ＱＲコードの検索中には画像データのどの部分を検索しているかの情報を出力する。
また、このＱＲコード処理部１２は入力された情報をエンコードすることによりＱＲコードの生成も実行する。
【００２４】
また、ネットワークインターフェース１３はＬＡＮ等のネットワークに接続され、ネットワークに接続されたパソコンからのプリントデータ等の信号を受信する一方、ネットワークに対して信号やデータを送信するものであり、信号変換やプロトコル変換などのインターフェース処理を実行する。
【００２５】
デジタル複合機は上記のような構成を備えており、ファクシミリ送信時には、原稿の画像データが読取部５で読み取られ、コーデック８で圧縮されて画像メモリ６に蓄積される。この圧縮された画像データが画像メモリ６から読み出されてモデム９で変調され、ＮＣＵ１０からＰＳＴＮを通して通信相手先に送信される。また、ファクシミリ受信時には、受信した画像データがモデム９で復調され、画像メモリ６に蓄積された後、コーデック８で復号されて記録部７によりプリントされる。
【００２６】
さらに、ユーザがコピーを行う場合には、読取部５のＡＤＦまたはＦＢＳに原稿をセットし、コピー設定画面で記録用紙サイズの選択、コピー部数の設定等を行った後、表示・操作部４のスタートキー２３を押下することにより、原稿の画像データが読取部５で読み取られ、コーデック８で圧縮されて画像メモリ６に蓄積された後、コーデック８で復号されて記録部７によりプリントされる。
【００２７】
また、文書保存部１１への文書データの保存時には、ユーザが読取部５のＡＤＦまたはＦＢＳに原稿をセットし、文書保存設定画面で文書名、ユーザＩＤ等を入力した後、表示・操作部４のスタートキー２３を押下することにより、原稿の画像データが読取部５で読み取られてコーデック８で圧縮され、文書保存部１１に保存される。なお、この場合、メモリ内の格納先及びデータ属性、例えば、文書保存日時、ユーザＩＤ、公開範囲、データ転送禁止等の情報をＱＲコード処理部１２によりＱＲコード化し、このＱＲコードを画像データに埋め込んだ保存データを文書保存部１１に記憶することも可能である。
【００２８】
一方、上記のファクシミリ送信、コピーあるいは文書データの保存時にユーザがそれぞれの設定画面でＱＲモードを指定すると、スキャンされた原稿にＱＲコードが含まれている場合、ＱＲコードに含まれている情報に基づいて各種機能を実行することができる。
なお、コピーやファクシミリ送信、文書データの保存時等、個々の作業時に設定画面でＱＲモードを設定できるようにする代わりに、デジタル複合機の初期設定として各種の機能実行時にすべてＱＲモードとして実行するように設定することも可能である。
【００２９】
以下、ファクシミリ送信、コピーあるいは文書データの保存時にＱＲモードを実行する場合の作用について、図３のフローチャートにより説明する。
読取部５に原稿がセットされた後、スタートキー２３が押下されると、ＣＰＵ１は、図３のフローチャートに示すＱＲモード判別プログラムを開始し、読取部５にセットされた原稿の画像データを読取部５に読み取らせ、コーデック８で圧縮して画像メモリ６に蓄積する（ステップ１０１）。
【００３０】
次に、ＣＰＵ１は、ユーザがＱＲモードを選択したか否か、あるいは機器設定がＱＲモードに設定されているか否かを判断することによりＱＲモードが有効か否かを判定し（ステップ１０２）、ＱＲモードが有効でないと判定した場合、通常の処理を実行した（ステップ１０３）後、プログラムを終了する。
すなわち、ファクシミリ送信の場合、ＣＰＵ１は圧縮された画像データを画像メモリ６から読み出してモデム９で変調し、ＮＣＵ１０からＰＳＴＮを通して通信相手先に送信する。また、コピーの場合、ＣＰＵ１は画像メモリ６から読み出した圧縮された画像データをコーデック８で復号した後、記録部７によってプリントし、文書データの保存時には、画像メモリ６から読み出した画像データを文書保存部１１に記憶する。
【００３１】
一方、ステップ１０２でＱＲモードが有効であると判定した場合、ＣＰＵ１は、画像メモリ６から読み出した圧縮された画像データをコーデック８で復号したビットマップデータをＱＲコード処理部１２に入力し、基準位置からのＱＲコード検索を指示する（ステップ１０４）。これにより、ＱＲコード処理部１２が基準位置、例えば、原稿の左上隅からＱＲコードの検索を開始するとともに、画像データのどの部分を検索しているかの情報を出力する。
【００３２】
ＱＲコード処理部１２にＱＲコードの検索開始を指示した後、ＣＰＵ１は、ＱＲコード処理部１２から出力されるＱＲコードの検索中位置に基づいて、画像データのどの位置まで検索が進んでいるかの進行状況を表示・操作部４のＬＣＤ表示部２１に表示する（ステップ１０５）。
図４はこの検索進行状況表示画面の一例であり、図に示すように、表示画面の左側に、原稿の白紙画像に重ねてＱＲコードの検索の進行に伴って面積が増加するインジケータが表示されている。なお、この検索進行状況表示画面で原稿の白紙画像の任意の位置を押下することにより、ユーザがＱＲコードの検索場所を指定することができる。
【００３３】
ＱＲコードの検索進行状況を表示した後、ＣＰＵ１は、ＱＲコード処理部１２から抽出されたＱＲコードの復元情報が出力されたか否かを判断することにより、ＱＲコードが発見されたか否かを判定し（ステップ１０６）ＱＲコードが発見されていないと判定した場合、ＱＲコード処理部１２によるＱＲコードの検索が終了し、ＱＲコードが見つからなかった旨の出力がなされたか否かを判断することにより、ＱＲコード検索が完了したか否かを判定する（ステップ１０７）。
【００３４】
ＱＲコード検索が完了していないと判定した場合、ＣＰＵ１は、図４の表示画面でユーザが原稿の白紙画像のいずれかの箇所を押下したか否かを判断することにより、ＱＲコードの検索場所の指定があったか否かを判定し（ステップ１０８）、検索場所の指定がなかったと判定した場合、ステップ１０５に戻って再びＱＲコードの検索進行状況を表示する。
【００３５】
一方、図４の表示画面でユーザが原稿の白紙画像のある箇所を押下し、ステップ１０８で検索場所の指定があったと判定した場合、ＣＰＵ１は、ＱＲコード処理部１２にＱＲコードの検索中断を指令する（ステップ１０９）。これにより、ＱＲコード処理部１２はＱＲコードの検索を中断するとともに、ＱＲコードの検索を中断した位置を記憶する。
【００３６】
次に、ＣＰＵ１は、ユーザが指定した位置情報に基づいて指定されたラインの、例えば、２０ライン上からＱＲコード検索を実行するようにＱＲコード処理部１２に指示する（ステップ１１０）。これにより、ＱＲコード処理部１２はユーザが指定した場所の２０ライン上からＱＲコードの検索を実行するとともに、画像データのどの部分を検索しているかの情報を出力する。
指定された位置からのＱＲコードの検索を指示した後、ＣＰＵ１は、図５に示すように、指定された場所からのＱＲコード検索を実行中である旨及びＱＲコードの検索進行状況をＬＣＤ表示部２１に表示する（ステップ１１１）。
【００３７】
次に、ＣＰＵ１は、ＱＲコードが発見されたか否かを判定し（ステップ１１２）、ＱＲコードが発見されていないと判定した場合、指定された位置からのＱＲコード検索が完了したか否かを判定する（ステップ１１３）。
ＱＲコード検索が完了していないと判定した場合、ＣＰＵ１は、ステップ１１１に戻って再び指定された場所からのＱＲコードの検索進行状況を表示する。
【００３８】
一方、ステップ１１３で指定された位置からのＱＲコード検索が完了したと判定した場合、ＣＰＵ１は、図６に示すように、指定された位置から下にＱＲコードが存在しなかった旨をＬＣＤ表示部２１に表示した（ステップ１１４）後、ＱＲコード処理部１２にＱＲコード検索の再開を指示する（ステップ１１５）。これにより、ＱＲコード処理部１２はＱＲコードの検索中断位置からＱＲコードの検索を再開する。なお、この場合、ＱＲコード処理部１２は検索中断位置からユーザの指定により検索を実行したラインまでのＱＲコード検索を実行する。
【００３９】
ＱＲコード検索の再開を指示した後、ＣＰＵ１は、ステップ１０５に戻って再び、図４に示すようにＱＲコードの検索進行状況を表示するので、ユーザは原稿の白紙画像の別の箇所を押下することによりＱＲコードの検索場所を新たに指定することができる。
【００４０】
一方、ステップ１０７でＱＲコードが発見されずにＱＲコード検索が完了したと判定した場合、ＣＰＵ１は、ＱＲコードが見つからなかった旨の表示、例えば、「ＱＲコードはありませんでした」等の表示をＬＣＤ表示部２１に行った（ステップ１１６）後、プログラムを終了する。
また、ステップ１０６またはステップ１１２でＱＲコードが発見されたと判定した場合、ＣＰＵ１は、ＱＲコード処理部１２から出力されたＱＲコードの復元情報に基づいて処理を実行する（ステップ１１７）。
【００４１】
すなわち、コピーの場合、ＣＰＵ１は、ＱＲコードの復元情報からコピー原稿のコピー回数を読み出し、このコピー回数に１を加えた回数を新たなコピー回数とし、ユーザＩＤ等の他の情報とともにＱＲコード処理部１２に送ってＱＲコードを新たに生成させ、生成された新たなＱＲコードの画像と、画像メモリ６から読み出した圧縮された画像データをコーデック８で復号した画像とを合成した後、記録部７によってプリントする。
【００４２】
また、ファクシミリ送信の場合、ＣＰＵ１は圧縮された画像データを画像メモリ６から読み出してモデム９で変調し、ＮＣＵ１０からＰＳＴＮを通してＱＲコードの復元情報に含まれている通信相手先に送信し、文書データの保存時には、圧縮された画像データを画像メモリ６から読み出して文書保存部１１に保存するとともに、ＱＲコードの復元情報に含まれている文書のファイル名や作成日時、作成者のＩＤ等の情報を文書保存部１１の管理ファイルに記憶する。
【００４３】
以上のように、ＬＣＤ表示部２１に原稿の白紙画像に重ねてＱＲコード検索の進行に伴って面積が増加するインジケータが表示されるので、ＱＲコードの検索処理がどの程度進んでいるかをユーザが視覚的に容易に把握することができる。
また、ＬＣＤ表示部２１に表示された検索進行状況表示画面でユーザが原稿の白紙画像の任意の位置を押下することにより、ＱＲコードの検索場所を指定することができるので、ユーザがＱＲコードの位置を判っている場合には、検索位置を指定することによって検索時間を短縮することができる。
【００４４】
なお、上記の実施例では、ＱＲコードの解析情報に基づく処理として、ＱＲコードの復元情報に含まれている通信相手先へのファクシミリ送信、ＱＲコードの復元情報に含まれるコピー回数を書き換えた新たなＱＲコードの生成、ＱＲコードの復元情報に含まれているデータの文書保存部１１の管理ファイルへの記憶を例として説明したが、その他のＱＲコード復元情報に基づく処理や、ファクシミリ受信時に受信した画像データあるいは外部のパソコンから受信した画像データに含まれるＱＲコードの検索／解析にも本発明を実施することができる。
【００４５】
また、上記の実施例では、情報コードとしてＱＲコードを例として説明したが、その他の情報コードであっても本発明の画像処理装置を適用することが可能である。
さらに、上記の実施例では、ＱＲコードの検索進行状況を原稿の白紙画像に重ねて表示したが、画像データの解像度を落としたプレビュー画像を作成し、作成したプレビュー画像に重ねてＱＲコードの検索進行状況を表示するようにしてもよい。このようにすれば、原稿画像の内容を認識でき、検索位置の指定を容易に行うことができる。
【００４６】
また、上記の実施例では、ユーザがＱＲコードの検索範囲を指定した場合、ユーザが指定したラインの、例えば、２０ライン上からＱＲコード検索を実行したが、ユーザが指定した箇所のある所定範囲、例えば、指定箇所の前後左右数百ライン分のみを検索することも可能である。
さらに、上記の実施例では、本発明の画像処理装置をデジタル複合機に適用した例について説明したが、本発明の画像処理装置はコピー機等の他の画像処理装置にも適用することが可能である。
【図面の簡単な説明】
【００４７】
【図１】デジタル複合機のハードウェア構成を示すブロック図である。
【図２】表示・操作部の詳細な構成を示す図である。
【図３】ＱＲモードを実行する場合の作用を示すフローチャートである。
【図４】ＱＲコードの検索進行状況表示画面の一例である。
【図５】指定された場所からＱＲコード検索を実行中である旨の表示の一例である。
【図６】指定された位置にＱＲコードが存在しなかった旨の表示の一例である。
【符号の説明】
【００４８】
１  ＣＰＵ
２  ＲＯＭ
３  ＳＲＡＭ
４  表示・操作部
５  読取部
６  画像メモリ
７  記録部
８  コーデック
９  モデム
１０  ＮＣＵ
１１  文書保存部
１２  ＱＲコード処理部
１３  Network  Ｉ／Ｆ
１４  バス
２１  ＬＣＤ表示部
【図１】
2008242876.tif 000003
【図２】
2008242876.tif 000004
【図３】
2008242876.tif 000005
【図４】
2008242876.tif 000006
【図５】
2008242876.tif 000007
【図６】
2008242876.tif 000008